(57)【特許請求の範囲】
【請求項１】
オペアンプを用いた積分器を含むループ回路が形成された基板を含み、前記オペアンプの反転入力端に接続される回路と、前記オペアンプの出力端とが前記基板に形成された２つのランドに接続され、前記２つのランドがオープン状態で前記オペアンプの出力電圧を調整したのちに、前記２つのランドがリード端子によって短絡される、ループ回路のＤＣ電圧調整方法。
【請求項２】
前記オペアンプの出力電圧を調整する際に、前記オペアンプの反転入力端と出力端との間に発振防止用コンデンサが接続される、請求項１に記載のループ回路のＤＣ電圧調整方法。
【請求項３】
前記２つのランドは前記基板の両面に形成され、２つに分割された端部を有する前記リード端子により前記２つのランドが短絡される、請求項１または請求項２に記載のループ回路のＤＣ電圧調整方法。
【請求項４】
前記２つのランドは前記基板の一方面に形成され、前記リード端子の端部により前記２つのランドが短絡される、請求項１または請求項２に記載のループ回路のＤＣ電圧調整方法。
【発明の詳細な説明】
【０００１】
【発明の属する技術分野】
この発明は、ループ回路のＤＣ電圧調整方法に関し、特に、たとえばオペアンプを用いた積分器を含むループ回路が形成された基板に入出力用端子が取り付けられたハイブリッドＩＣなどのＤＣ電圧を調整するために用いられる、ループ回路のＤＣ電圧調整方法に関する。
【０００２】
【従来の技術】
図１は、オペアンプを用いた積分器を含むループ回路の一例を示す回路図である。ループ回路１０は、積分器１２を含む。積分器１２はオペアンプ１４を含み、オペアンプ１４の非反転入力端は、抵抗１６を介してグランドに接続される。さらに、オペアンプ１４の非反転入力端は、抵抗１８を介して、２つの可変抵抗２０，２２からなる分圧回路に接続される。分圧回路は、電源電圧Ｖｃｃとグランドとの間に接続される。また、オペアンプ１４の反転入力端と出力端との間には、２つのコンデンサ２４，２６の直列回路が接続される。そして、一方のコンデンサ２４に並列に、抵抗２８が接続される。さらに、オペアンプ１４の反転入力端には抵抗３０が接続され、この抵抗３０とオペアンプ１４の出力端との間に他の回路３２が接続されて、ループ回路１０が形成される。
【０００３】
このようなループ回路１０は、たとえばハイブリッドＩＣとして基板上に形成され、入出力用のリード端子が基板から延びるように形成される。図１に示すようなループ回路１０において、回路の精度を向上させるために、オペアンプ１４の出力端とグランドとの間のＤＣ電圧Ｖｏｕｔの調整を行う場合がある。このような調整は、分圧回路の可変抵抗２０，２２の抵抗値を変えることにより、抵抗１８を通してオペアンプ１４の非反転入力端に入力される電圧Ｖｉｎを変動させ、オペアンプ１４の出力端のＤＣ電圧を調整している。
【０００４】
【発明が解決しようとする課題】
しかしながら、オペアンプ１４の反転入力端と出力端との間に接続されるコンデンサ２４，２６と抵抗２８とで構成されるＣＲ回路の時定数のため、オペアンプ１４の非反転入力端に入力される電圧Ｖｉｎを変動させてから、出力電圧Ｖｏｕｔが変化するまでに応答時間の遅れが生じる。そのため、ループ回路１０のＤＣ電圧調整に時間がかかる。
【０００５】
このような応答時間の遅れをなくすために、図１のコンデンサ２４，２６と抵抗２８とからなるＣＲ回路とオペアンプ１４の出力端との間（図１のＡ−Ｂ間）にスイッチを入れ、ＤＣ電圧調整時にスイッチをオープンにすることが考えられる。このように、スイッチをオープンにすることにより、コンデンサ２４，２６と抵抗２８とからなるＣＲ回路を切り離し、時定数による応答時間の遅れをなくすことができる。しかしながら、このような方法では、ループ回路１０に必要な電子部品の他にスイッチが必要となり、高コストの原因となるとともに、スイッチを搭載するためのスペースが必要となる。
【０００６】
また、ＤＣ電圧調整時には、オペアンプ１４の反転入力端と出力端との間に形成されるＣＲ回路を搭載せず、ＤＣ電圧調整後にコンデンサ２４，２６と抵抗２８とからなるＣＲ回路を搭載する方法が考えられる。しかしながら、このような方法では、ループ回路１０を作製するための工数が増え、高コストの原因となる。
【０００７】
それゆえに、この発明の主たる目的は、他の部品や工程を追加することなくＤＣ電圧調整を短時間で行うことができる、ループ回路のＤＣ電圧調整方法を提供することである。
【０００８】
【課題を解決するための手段】
この発明は、オペアンプを用いた積分器を含むループ回路が形成された基板を含み、オペアンプの反転入力端に接続される回路と、オペアンプの出力端とが基板に形成された２つのランドに接続され、２つのランドがオープン状態でオペアンプの出力電圧を調整したのちに、２つのランドがリード端子によって短絡される、ループ回路のＤＣ電圧調整方法である。
このようなループ回路のＤＣ電圧調整方法において、オペアンプの出力電圧を調整する際に、オペアンプの反転入力端と出力端との間に発振防止用コンデンサを接続してもよい。
なお、２つのランドは基板の両面に形成することができ、この場合、２つに分割された端部を有するリード端子により２つのランドが短絡される。
また、２つのランドは基板の一方面に形成することができ、この場合、リード端子の端部により２つのランドが短絡される。
【０００９】
オペアンプの反転入力端に接続される回路と、オペアンプの出力端とを２つのランドに接続し、これらのランドがオープン状態で電圧調整を行うことにより、時定数による時間遅れがない状態で電圧調整を行うことができる。電圧調整を行ったのちに、２つのランドを短絡するようにしてリード端子を取り付けることにより、オペアンプの反転入力端と出力端との間に所定の回路が接続され、取り付けたリード端子を入出力用として用いることができる。
なお、電圧調整時にオペアンプの反転入力端と出力端との間に発振防止用コンデンサを接続することにより、外部からの雑音や回路自身の影響による発振を防止することができる。
２つのランドは、基板の両面に形成してもよいし、同一面に形成してもよく、リード端子で短絡できる状態に形成されていればよい。
【００１０】
この発明の上述の目的，その他の目的，特徴および利点は、図面を参照して行う以下の発明の実施の形態の詳細な説明から一層明らかとなろう。
【００１１】
【発明の実施の形態】
図１に示すループ回路１０は、たとえば基板の両面に形成され、ハイブリッドＩＣとして用いられる。そして、ループ回路１０の入出力用として、基板から延びるリード端子が形成される。この場合、たとえば図２に示すように、ループ回路１０が形成された基板４０の一方面に、ランド４２が形成される。このランド４２は、オペアンプ１４の反転入力端に接続されるＣＲ回路に接続されたＡ点に接続される。また、基板４０の他方面には、別のランド４４が形成される。このランド４４は、オペアンプ１４の出力端に接続されたＢ点に接続される。
【００１２】
これらのランド４２，４４が形成された基板４０の端部には、リード端子４６が取り付けられる。リード端子４６の先端は二股に分割され、基板４０を挟むようにしてリード端子４６が取り付けられる。そして、リード端子４６の先端の一方がランド４２に接続され、他方がランド４４に接続される。したがって、図１に示すループ回路１０のＡ−Ｂ間は、リード端子４６によって短絡される。
【００１３】
このループ回路１０の精度を向上させるためにＤＣ出力電圧Ｖｏｕｔを調整する際には、基板４０にリード端子４６が取り付けられていない状態で調整が行われる。リード端子４６が取り付けられていない状態では、図１のＡ−Ｂ間がオープンの状態であり、コンデンサ２４，２６と抵抗２８による時定数が影響しない。そのため、可変抵抗２０，２２の抵抗値を変えて、オペアンプ１４の非反転入力端に入力される電圧Ｖｉｎを変動させたとき、応答時間の遅れを防止することができる。
【００１４】
実際に、Ａ−Ｂ間をオープンにした場合と、短絡した場合とで、入力電圧Ｖｉｎを変化させてから、安定した出力電圧Ｖｏｕｔが得られるまでの時間を測定し、その結果を図３に示した。Ａ−Ｂ間をオープンにした場合、図３の実線に示すように、応答遅れがなく安定した出力電圧Ｖｏｕｔが得られた。それに対して、Ａ−Ｂ間を短絡した場合、図３の点線で示すように、入力電圧Ｖｉｎを変化させてから、安定した出力電圧Ｖｏｕｔが得られるまでに約３０秒かかった。
【００１５】
このようにして調整を行ったのち、リード端子４６が基板４０に取り付けられ、ループ回路１０が完成する。なお、リード端子４６は、Ａ−Ｂ間が短絡された従来の回路でもオペアンプ１４の出力端に接続されるものであり、従来のものに比べて部品数が多くなったり、工程数が多くなることはない。したがって、Ａ−Ｂ間をオープンにした状態でランド４２，４４を形成し、電圧調整を行ったのちにリード端子４６を基板４０に取り付けるという方法を採用することにより、調整時間を短くすることができるとともに、コストアップを防止することができる。
【００１６】
なお、オペアンプ１４の反転入力端と出力端との間に接続されるコンデンサ２４，２６および抵抗２８をオープンにした場合、外部からの雑音や内部回路自身の影響により、回路が異常に発振する場合がある。このような場合、図４に示すように、オペアンプ１４の反転入力端と出力端との間に発振防止用コンデンサ５０を接続することができる。このような発振防止用コンデンサ５０を接続することにより、異常発振を防止してループ回路１０の電圧調整を行うことができる。この発振防止用コンデンサ５０は、基板４０に形成する必要はなく、電圧調整時にのみループ回路１０に接続すればよいものであるため、ループ回路１０の製造工程を増やす必要はない。
【００１７】
また、リード端子４６を接続するためのランド４２，４４は、図５に示すように、基板４０の一方面にのみ形成されてもよい。この場合、電圧調整が行われたあと、分割されたリード端子４６の一方の先端がランド４２，４６の両方に接触するように配置されて接続される。また、分割されたリード端子４６の他方の先端は、基板４０の他方面に形成された固定用の電極４８に接続される。このように、ループ回路１０のＡ点およびＢ点に接続されるランド４２，４４は、基板４０のどちらの面に形成されていてもよい。
【００１８】
【発明の効果】
この発明によれば、オペアンプの反転入力端と出力端との間に接続されるＣＲ回路をオープンにした状態で電圧調整を行うことにより、短時間で電圧調整を行うことができる。そして、電圧調整を行ったのちに、基板に形成されたランドに接続するようにリード端子を取りつけて、オペアンプの反転入力端と出力端との間に所定の回路を接続することにより、部品や工程を増やすことなくループ回路を形成することができる。
また、ループ回路の電圧調整時に、オペアンプの反転入力端と出力端との間に発振防止用コンデンサを接続することにより、異常発振を防止しながら電圧調整を行うことができる。
【図面の簡単な説明】
【図１】この発明のＤＣ電圧調整方法が適用されるループ回路の一例を示す回路図である。
【図２】図１に示す回路のＡ点とＢ点に接続されるランドが形成された基板の一例を示す図解図である。
【図３】図１に示す回路のＡ−Ｂ間をオープンにした場合と短絡した場合における電圧安定までの時間を示すグラフである。
【図４】電圧調整時に発振防止用コンデンサを接続するときの回路図である。
【図５】図１に示す回路のＡ点とＢ点に接続されるランドが形成された基板の他の例を示す図解図である。
【符号の説明】
１０  ループ回路
１２  積分器
１４  オペアンプ
１６，１８  抵抗
２０，２２  可変抵抗
２４，２６  コンデンサ
２８，３０  抵抗
３２  他の回路
４０  基板
４２，４４  ランド
４６  リード端子
５０  発信防止用コンデンサ
【図１】
0004538935.tif 000002
【図２】
0004538935.tif 000003
【図３】
0004538935.tif 000004
【図４】
0004538935.tif 000005
【図５】
0004538935.tif 000006